(57)【特許請求の範囲】
【請求項１】
電気入力を受けて該入力に対応した制動トルクを車軸に与え車両を減速及び停止させる電気ブレーキの制御方法であって；
（ａ）電気入力Ｉｑを電気ブレーキに与え、
（ｂ）車両の速度Ｖと減速度αを測定し、
（ｃ）車両速度Ｖが第１の速度閾値Ｖ１以下になったとき、前記電気入力Ｉｑの値を徐々に減少させると共に、当該電気入力Ｉｑの値と前記減速度αに基づいて、車両の停止時に必要な停止電気入力Ｉｑoffを算出し、
（ｄ）車両速度Ｖが第２の速度閾値Ｖ２以下になったとき前記停止電気入力Ｉｑoffを確定し、当該停止電気入力Ｉｑoffを前記電気入力Ｉｑに重畳して前記電気ブレーキに与え、
（ｅ）車両停止時に前記電気入力Ｉｑとして前記停止電気入力Ｉｑoffを電気ブレーキに与えて車軸に停止トルクＦｕを発生することにより線路上で車両を停止させる、
ことを特徴とする電気ブレーキの制御方法。
【請求項２】
前記ステップ（ｃ）は、逐次最小自乗法などの適応同定手法によって車両の停止時に必要な前記停止電気入力Ｉｑoffを算出することを特徴とする請求項１記載の電気ブレーキの制御方法。
【請求項３】
前記ステップ（ｃ）は、前記電気入力Ｉｑの値と前記減速度αに基づいて、車両の停止時に必要な前記停止電気入力Ｉｑoffを算出することを特徴とする請求項１または２記載の電気ブレーキの制御方法。
【請求項４】
前記ステップ（ｃ）は、１車軸当りの軸質量をＭ、１車軸当りの車輪軸換算の慣性モーメントをＪw、車輪半径をｒw、減速度をα、電磁力に換算するための比例定数をｋ、主電動機磁束φ、ベクトル制御によるブレーキ時のトルク分電流をＩｑ、重力加速度をｇ、勾配の角度をθとしたとき、
0003639170.tif 000012
で示される数式で決まる物理的意味を持つパラメータａ、ｂの適応同定に逐次最小自乗法などの適応同定手法を適用して車両の停止時に必要な前記停止電気入力Ｉｑoffを算出することを特徴とする請求項１乃至３記載の電気ブレーキの制御方法。
【請求項５】
電気入力を受けて該入力に対応した制動トルクを車軸に与え車両を減速及び停止させる電気ブレーキの制御装置であって；
前記電気ブレーキに与える電気入力Ｉｑを決定する制御手段と、
車両の速度Ｖと減速度αを測定する測定手段と、
前記電気入力Ｉｑの値と前記減速度αに基づいて、車両の停止時に必要な停止電気入力Ｉｑoffを算出する演算手段と、
を備え、
前記制御手段は、前記測定手段で測定された前記車両の速度Ｖが第１の速度閾値Ｖ１以下になったとき、前記電気入力Ｉｑの値を徐々に減少させると供に、前記演算手段を稼動させ、前記車両の速度Ｖが第２の速度閾値Ｖ２以下になったとき、前記演算手段を停止すると共に、前記停止電気入力Ｉｑoffを確定し、当該停止電気入力Ｉｑoffを前記電気入力Ｉｑに重畳して前記電気ブレーキに与え、車両停止時に前記電気入力Ｉｑとして前記停止電気入力Ｉｑoffを電気ブレーキに与えることにより線路上で車両を停止させる、
ことを特徴とする電気ブレーキの制御装置。
【請求項６】
前記演算手段は、逐次最小自乗法などの適応同定手法によって車両の停止時に必要な前記停止電気入力Ｉｑoffを算出することを特徴とする請求項５記載の電気ブレーキの制御装置。
【請求項７】
さらに、車両データを記憶する記憶手段を備え、
前記演算手段は、前記記憶手段に記憶されている前記車両データを使用して、前記電気入力Ｉｑの値と前記減速度αに基づいて、車両の停止時に必要な前記停止電気入力Ｉｑoffを算出することを特徴とする請求項５または６記載の電気ブレーキの制御装置。
【請求項８】
前記演算手段は、１車軸当りの軸質量をＭ、１車軸当りの車輪軸換算の慣性モーメントをＪw、車輪半径をｒw、減速度をα、電磁力に換算するための比例定数をｋ、主電動機磁束φ、ベクトル制御によるブレーキ時のトルク分電流をＩｑ、重力加速度をｇ、勾配の角度をθとしたとき、
0003639170.tif 000013
で示される数式で決まる物理的意味を持つパラメータａ、ｂの適応同定に逐次最小自乗法などの適応同定手法を適用して車両の停止時に必要な前記停止電気入力Ｉｑoffを算出することを特徴とする請求項５乃至７記載の電気ブレーキの制御装置。
【発明の詳細な説明】
【０００１】
【発明の属する技術分野】
本発明は、直流モータ等の電気ブレーキを用いて車両を減速及び停止させる電気ブレーキの制御方法及びその装置に関する。特には、摩擦ブレーキを使用することなく電気ブレーキのみで勾配のある線路上で車両を減速及び停止させることのできる電気ブレーキの制御方法及びその装置に関する。
【０００２】
【従来の技術】
従来から、鉄道車両用のブレーキとして、電気ブレーキ、摩擦ブレーキ、流体ブレーキなどが用いられている。このうち電気ブレーキの代表的なものは、駆動電動機を発電機として電流を発生して車軸に駆動トルク（以下、減速の場合には「制動トルク」ともいう）を与え車両を減速及び停止させるものである。また、摩擦ブレーキは、圧縮空気や油圧などによって機械的に制輪子を車軸やブレーキディスクなどに押し付けて摩擦力を発生させ車両を減速及び停止させるものである。また、流体ブレーキは、油などの流体を回転翼などで攪拌し、その際の抵抗力をブレーキ力として車両を減速及び停止させるものである。
【０００３】
ここで、電気ブレーキと摩擦ブレーキを併用して走行中の電気車などの鉄道車両を停止させる場合、一般的に、まず電気ブレーキによって徐々に減速し、最後に摩擦ブレーキによって物理的に車軸などを固定して停止させている。また、車両の停止場所が勾配のある線路上の場合には、最終的に摩擦ブレーキを使用して確実に車両の停止及び停止状態の保持を行っている。
【０００４】
また、電気ブレーキのみで車両の停止及び停止状態の保持を行う勾配推定フィードフォワード・トルクパターン制御においては、平坦区間における減速度α0、車両重量Ｍ、線路勾配θなどを特定し、それらの値から車両の停止トルク（勾配均衡トルク）Ｆuに相当する停止トルク分電流Ｉqsを算出して電気ブレーキに供給することにより、電気ブレーキのみで勾配のある線路上で車両を停止している。
【０００５】
【発明が解決しようとする課題】
しかしながら、電気ブレーキと摩擦ブレーキを併用して車両を停止する場合、車両を電気ブレーキによって徐々に減速し、所定の速度まで減速したら摩擦ブレーキによる制動力を大にして車両を停止するため、摩擦ブレーキによる停止時の衝撃やブレーキのきしり音が生じていた。また、摩擦ブレーキを使用した場合、摩擦ブレーキの摩耗による摩耗粉塵や摩擦ブレーキの摩擦熱による各部位の熱疲労などが生じ、制輪子やブレーキディスク等の摩耗部品の取り替え作業も必要であった。
【０００６】
また、勾配のある線路上で電気ブレーキのみで車両を停止してその停止状態を維持する勾配推定フィードフォワード・トルクパターン制御の場合、以下のような問題があった。
（１）まず、平坦区間における減速度α0を予め測定して、この値α0をインバータなどの電力変換装置に記憶させておく必要があった。
（２）減速度α0を測定する平坦区間を特定することが困難であり、実際の鉄道車両では、工場や電車区の構内などで測定する必要があった。
（３）勾配上で減速する際に、実際の減速度αをラッチする時点（速度１０［ｋｍ／ｈ］程度）において、比較的安定した減速度αが要求され、また、実際の車両においては、機械的な振動成分が載ってくるため、減速度αの演算時には数百［msec］程度の時定数を有するローパスディジタルフィルタなどを併用している。このとき、運転手のノッチ操作などによって減速度αが変化中の場合、ラッチで測定した減速度αは、実際の値より遅れた値となるため、減速度αの変化が大きいほど推定される停止トルク（勾配均衡トルク）Ｆuに誤差が生じた。
（４）停止トルク（勾配均衡トルク）Ｆuに相当する停止トルク分電流Ｉqsを算出する際には、車両の車輪の軸質量（車両重量）Ｍを正確に把握する必要がある。実際は、乗客や積荷などの増減によって車両重量Ｍが駅停車前後で大きく変動するため、この車両重量Ｍの変化に伴なう減速度変化分の補正を行う高精度の荷重検出装置が必要であり、コストがかかっていた。
【０００７】
つまり、従来の車両の停止においては、電気ブレーキのみによって線路上で車両を停止し、その停止状態を維持することが条件によっては困難であった。
【０００８】
本発明はこのような背景の中でなされたものであって、摩擦ブレーキを使用せずに車両を減速及び停止し、その停止状態を維持することができる電気ブレーキの制御方法及びその装置を提供することを目的とする。
【０００９】
【課題を解決するための手段】
上記課題を解決するため、  本発明の第１の態様の電気ブレーキの制御方法は、  電気入力を受けて該入力に対応した制動トルクを車軸に与え車両を減速及び停止させる電気ブレーキの制御方法であって；（ａ）電気入力Ｉｑを電気ブレーキに与え、（ｂ）車両の速度Ｖと減速度αを測定し、（ｃ）車両速度Ｖが第１の速度閾値Ｖ１以下になったとき、電気入力Ｉｑの値を徐々に減少させると共に、当該電気入力Ｉｑの値と減速度αに基づいて、車両の停止時に必要な停止電気入力Ｉｑoffを算出し、（ｄ）車両速度Ｖが第２の速度閾値Ｖ２以下になったとき停止電気入力Ｉｑoffを確定し、当該停止電気入力Ｉｑoffを電気入力Ｉｑに重畳して電気ブレーキに与え、（ｅ）車両停止時に電気入力Ｉｑとして停止電気入力Ｉｑoffを電気ブレーキに与えて車軸に停止トルクＦｕを発生することにより線路上で車両を停止させる、ことを特徴とする。
【００１０】
このとき、ステップ（ｃ）は、逐次最小自乗法などの適応同定手法によって車両の停止時に必要な停止電気入力Ｉｑoffを算出するようにするとよい。また、ステップ（ｃ）は、電気入力Ｉｑの値と減速度αに基づいて、車両の停止時に必要な停止電気入力Ｉｑoffを算出するようにする。このとき、記憶する必要のある車両データは、全く不要である。
【００１１】
また、上述の電気ブレーキの制御方法においては、ステップ（ｃ）で、１車軸当りの軸質量をＭ、１車軸当りの車輪軸換算の慣性モーメントをＪw、車輪半径をｒw、減速度をα、電磁力に換算するための比例定数をｋ、主電動機磁束φ、ベクトル制御によるブレーキ時のトルク分電流をＩｑ、重力加速度をｇ、勾配の角度をθとしたとき、
0003639170.tif 000002
で示される数式で決まる物理的意味を持つパラメータａ、ｂの適応同定に逐次最小自乗法などの適応同定手法を適用して、車両の停止時に必要な停止電気入力Ｉｑoffを算出することができる。
【００１２】
また、上記課題を解決するため、  本発明の第１の態様の電気ブレーキの制御装置は、  電気入力を受けて該入力に対応した制動トルクを車軸に与え車両を減速及び停止させる電気ブレーキの制御装置であって；  電気ブレーキに与える電気入力Ｉｑを決定する制御手段と、  車両の速度Ｖと減速度αを測定する測定手段と、  電気入力Ｉｑの値と減速度αに基づいて、車両の停止時に必要な停止電気入力Ｉｑoffを算出する演算手段と、を備え、  制御手段は、測定手段で測定された車両の速度Ｖが第１の速度閾値Ｖ１以下になったとき、電気入力Ｉｑの値を徐々に減少させると共に、演算手段を稼動させ、車両の速度Ｖが第２の速度閾値Ｖ２以下になったとき、演算手段を停止すると供に、停止電気入力Ｉｑoffを確定し、当該停止電気入力Ｉｑoffを電気入力Ｉｑに重畳して電気ブレーキに与え、車両停止時に電気入力Ｉｑとして停止電気入力Ｉｑoffを電気ブレーキに与えることにより線路上で車両を停止させる、ことを特徴とする。
【００１３】
ここで、演算手段は、逐次最小自乗法などの適応同定手法によって車両の停止時に必要な停止電気入力Ｉｑoffを算出するようにするとよい。さらに、車両データを記憶する記憶手段を備え、演算手段は、記憶手段に記憶されている車両データを使用して、電気入力Ｉｑの値と減速度αに基づいて、車両の停止時に必要な停止電気入力Ｉｑoffを算出するようにするとよい。
【００１４】
また、上述の電気ブレーキの制御装置においては、演算手段で、１車軸当りの軸質量をＭ、１車軸当りの車輪軸換算の慣性モーメントをＪw、車輪半径をｒw、減速度をα、電磁力に換算するための比例定数をｋ、主電動機磁束φ、ベクトル制御によるブレーキ時のトルク分電流をＩｑ、重力加速度をｇ、勾配の角度をθとしたとき、
0003639170.tif 000003
で示される数式で決まる物理的意味を持つパラメータａ、ｂの適応同定に逐次最小自乗法などの適応同定手法を適用して車両の停止時に必要な停止電気入力Ｉｑoffを算出するようにすることができる。
【００１５】
上述の電気ブレーキの制御方法においては、車両の停止する線路の勾配と釣り合う停止トルクに対応する停止電気入力を算出して電気ブレーキに与えるため、摩擦ブレーキを用いずに電気ブレーキのみで平坦または勾配のある線路上で車両を停止し、かつその停止状態を維持することができる。
【００１６】
【発明の実施の形態】
以下本発明の電気ブレーキの制御方法及びその装置について、図面を参照しつつ詳細に説明する。ここで、鉄道車両（以下、単に「車両」とも言う）の車両重量Ｍ及び、該車両が停止する場所での線路の勾配（勾配角度θ）が未知の場合について説明する。なお、車両の重量Ｍは、不変の車両本体重量と乗客や荷物等の積載重量の和である。
【００１７】
図１は、本発明のブレーキ制御装置を用いた電気ブレーキ・システムの実施の形態の一例を示すブロック図である。この電気ブレーキ・システムは、運転部にあるマスターコントローラなどの制動装置からの制動信号（ブレーキ信号）を入力するブレーキ入力部１８と、ブレーキ入力部１８からのブレーキ信号に応じて制動トルクに相当する電流（以下、単に「制動トルク分電流」ともいう）を発生するブレーキ制御装置（以下、単に「制御装置」ともいう）１０と、制動トルク分電流に応じた制動トルクを発生する駆動トルク発生装置１６と、を備えている。また、駆動トルク発生装置１６は、歯車や車軸、車輪などで構成される車両の駆動部１７に接続されている。なお、通常は、ブレーキ制御装置１０は、ベクトル制御インバータであり、駆動トルク発生装置１６は、駆動モータを発電機とする電動機である。また、駆動トルク発生装置１６は、制動トルク分電流に対応する値を出力する電流センサ１６ａと、駆動部１７の車軸の回転数に対応した信号を出力するパルスエンコーダ１６ｂを備えている。
【００１８】
ここで、制御装置１０は、主に同装置１０の各構成部分を制御するための指令パターンを演算しトルク分電流Ｉq0を出力するパターン制御部１１と、電圧や電流などをベクトル制御演算して出力すべき電流をベクトル制御する電流制御部１４と、電流や減速度の時系列データなどを記憶するメモリ１２と、駆動トルク発生装置１６にトルク分電流Ｉｑを発生する電流発生回路１３と、駆動トルク発生装置１６の電流センサ１６ａから制動トルク分電流に対応する値を受け、電流などを測定しメモリ１２に出力する電流測定部２０と、駆動トルク発生装置１６のパルスエンコーダ１６ｂからパルスエンコード信号を受け、波形整形、Ａ／Ｄ（アナログ／デジタル）変換、フィルタリングなどを行って車両の電動機速度Ｖや加速度αを測定する速度及び加速度測定部（以下、単に「速度測定部」ともいう）１５と、メモリ１２及び電流制御部１４に接続され、車両を停止させ車両の停止状態を維持するためのトルク分電流の値（以下、「停止維持電流」ともいう）Ｉq#offsetを算出する適応同定演算部（以下、単に「演算部」ともいう）１９とを備えている。ここで、電流制御部１４には、パターン制御部１１から出力される電流値Ｉq0と適応同定演算部１９から出力される電流値Ｉq#offsetとを加算したトルク分電流Ｉq0’が入力される（以下において、電流制御部１４に入力されるトルク分電流の値は、「Ｉq0’＝Ｉq0（パターン制御部１１からの出力）＋Ｉq#offset（適応同定演算部１９からの出力）」の演算後の値とし、「制御トルク分電流値Ｉq0’」という）。
【００１９】
図２は、線路の勾配がθ（平坦区間の場合にはθ＝０）である区間での車両の減速度の求め方の一例を示す概略図である。一般に、勾配上で停止する制御を特に行わない場合、平坦区間および勾配上では、トルク分電流Ｉｑとその時の車輪減速度αとは略比例の関係がある。以下、本発明のブレーキ制御装置を用いた電気ブレーキ・システムにおいて、車両速度がＶ０から０になるまでの動作について説明する。なお、車両１の停止区間に勾配がある場合には、減速度ゼロの時点でのトルク分電流の値が、勾配と均衡する力を出力するトルク分電流となる。
【００２０】
図３は、本発明のブレーキ制御装置を用いた電気ブレーキ・システムのフローチャートである。図１〜図３において、まず、ブレーキ入力部１８からのブレーキ信号（制動信号）に応じて、制御装置１０のパターン制御部１１は、電流制御部１４に所定の値の制御信号（トルク分電流指令値Ｉq0）を送る。このトルク分電流指令値Ｉq0は、適応同定演算部１９からの停止維持電流値Ｉq#offset（最初は「０」）が加算されて制御トルク分電流値Ｉq0’として電流制御部１４に入力される。電流制御部１４は、入力された制御信号の値（制御トルク分電流値Ｉq0’）に応じたトルク分電流指令値を発生回路１３に送る（ステップ３０１）。電流発生回路１３は、電流制御部１４からのトルク分電流指令値に応じたトルク分電流Ｉｑを駆動トルク発生装置１６に出力する（ステップ３０２）。駆動トルク発生装置１６は、制御装置１０の電流発生回路１３から入力されたトルク分電流Ｉｑによって、駆動トルクＦを駆動部１７に伝達する（ステップ３０３）。この制御は、具体的には、ベクトル制御インバータ（ブレーキ制御装置１０）からのトルク分電流Ｉｑに応じて、誘導電動機（駆動トルク発生装置１６）がトルクを発生し、このトルクを歯車機構などを介して車両１の車輪２に直結している車軸（駆動部１７）に伝え、車輪２の回転運動を制御するものである。
【００２１】
速度測定部１５は、駆動トルク発生装置１６のパルスエンコーダ１６ｂから計測した電動機軸の回転数などから車両１の電動機速度Ｖを測定する（ステップ３０４）。測定された電動機速度Ｖは、パターン制御部１１及び電流制御部１４に送られる。また、速度測定部１５は、測定した速度の変化から加速度（停止時の場合には減速度）αを算出し、その値をメモリ１２と電流制御部１４に送る（ステップ３０５）。
【００２２】
パターン制御部１１は、速度測定部１５から受け取った電動機速度Ｖを監視しており、電動機速度Ｖがメモリ１２に記憶されている所定の閾値速度Ｖ１以下になったときに（ステップ３０６）、所定の時間で電動機速度Ｖが０になるように、トルク分電流指令値Ｉq0を徐々に０に近づけていく（ステップ３０７）。また、パターン制御部１１は、この閾値速度Ｖ１の検出をトリガとして、電動機速度Ｖが所定の閾値速度Ｖ２（Ｖ２＜Ｖ１）になるまで電流制御部１４を稼動する（ステップ３０８）。
【００２３】
一方、制御装置１０の電流測定部２０は、駆動トルク発生装置１６の電流センサ１６ａからフィードバック電流の値Ｉｑを検出しメモリ１２に記憶すると共に、電流制御部１４に出力する。さらに、制御装置１０の適応同定演算部１９は、メモリ１２に記憶されている電流測定部２０からのトルク分電流Ｉｑ及び速度測定部１５からの減速度αなどを入力値として、勾配オフセットトルク分電流Ｉｑ−offsetを算出する（ステップ３０９）。
【００２４】
次に、速度測定部１５で測定された電動機速度Ｖが、メモリ１２に記憶されている所定の閾値速度Ｖ２（Ｖ２＜Ｖ１）になったとき（ステップ３０９）、電流制御部１４は、適応同定演算部１９から受け取った勾配オフセットトルク分電流Ｉｑ＿offsetをパターン制御部１１からのトルク分電流Ｉq0に重畳してトルク分電流指令値Ｉq0’を算出し、電流発生回路１３に出力する（ステップ３１１）。ここで、電流制御部１４は、電動機速度Ｖが速度閾値Ｖ２以下になった場合には、速度測定部１５からの電動機速度Ｖのフィードバックは受けずに、電動機速度Ｖを論理的に算出し、その値を電動機速度Ｖの推定速度として使用する。
【００２５】
電流発生回路１３は、勾配オフセットトルク分電流Ｉｑ＿offsetが重畳されたトルク分電流指令値Ｉq0’に応じて、トルク分電流Ｉｑを駆動トルク発生装置１６に出力する（ステップ３１２）。駆動トルク発生装置１６は、制御装置１０の電流発生回路１３から入力されたトルク分電流Ｉｑによって、駆動トルクＦを駆動部１７に伝達し、車両１を停止する（ステップ３１３）。
【００２６】
以上のようにして、電動機速度Ｖを測定しながら制御装置１０から駆動トルク発生装置１６にトルク分電流Ｉｑを出力して車両１を減速し、また、停止直前の所定の電動機速度（Ｖ１〜Ｖ２）の間に、勾配の値θに応じた勾配オフセットトルク分電流Ｉｑ＿offsetを求めて、これをトルク分電流Ｉｑに重畳することにより、車両停止時のトルク分電流Ｉｑが勾配オフセットトルク分電流Ｉｑ＿offsetになるため、勾配区間においても摩擦ブレーキを使用せずに電気ブレーキのみで正確に車両１を停止し、かつ停止状態を維持することができる。
【００２７】
以上、本発明の電気ブレーキの制御方法及びその装置について説明したが、以下に、制御装置１０の適応同定演算部１９の演算処理について詳細に説明する。この適応同定演算部１９では、勾配θの勾配区間で車両１を停止させ、且つその停止状態を維持するために必要なトルクＦｕを発生するためのトルク分電流Ｉｑ＿offsetを算出する。ここで、車両１の重量と停止区間の勾配θが未知数であるため、２つ以上の運動方程式を立て、逐次的な最小自乗法を用いてリアルタイムにこれらの値を求める。一般に、勾配区間（勾配θ）における運動方程式は以下の＜式１＞のようになる。
【００２８】
【数１】
0003639170.tif 000004
【００２９】
なお、走行抵抗については、低速時のみのトルク分電流に着目しているため、一定値とみなしている。式１からＩｑを求めると、以下の＜式２＞となる。
【００３０】
【数２】
0003639170.tif 000005
【００３１】
ここで、勾配と荷重を適応同定する。式２は、一般に、ｙ＝ａ・ｘ＋ｂという一次式そのものであり、多点データに対する尤もらしい係数ａ、ｂを求めるには、通常最小自乗法を用いる。車両速度などのようにオンラインで時々刻々と状態が推移する場合には、逆行列演算を行わないで逐次的に最小自乗演算を行うＲＬＳアルゴリズム（逐次最小自乗法）を用いることができる。
【００３２】
図４は、ＲＬＳアルゴリズムのスカラブロック図を示す。以下、図４を基に、逐次最小自乗法を本発明のブレーキ制御装置１０の適応同定演算部１９に適用した場合について説明する。上述の＜式２＞をサンプル値として得る場合には、ｉ番目のサンプル値に対し、以下の式３で表すことができる。
【００３３】
【数３】
0003639170.tif 000006
【００３４】
また、ｉ番目の実際値と推定値の誤差は、以下の式４で示すことができる。
【００３５】
【数４】
0003639170.tif 000007
【００３６】
この式４で示される誤差信号に基づいて、適応信号ゲインを修正する方法は以下の式５及び式６で表される。
【００３７】
【数５】
0003639170.tif 000008
【００３８】
【数６】
0003639170.tif 000009
【００３９】
上述の図３でも示したように、停止直前の低速度（速度Ｖ１〜Ｖ２の間）でトルク分電流Ｉｑが絞り込まれる間に、図４で示した逐次最小自乗法を動作させて、勾配オフセットトルクＦｕに対応する勾配オフセットトルク分電流Ｉｑ＿offsetを求め、停止直前にその値（Ｉｑ＿offset）をトルク分電流Ｉｑ（Ｉq0）に重畳する方法を取る。これにより、停止時のトルク分電流Ｉｑは、以下の式７に示す値となる。
【００４０】
【数７】
0003639170.tif 000010
【００４１】
即ち、勾配区間（勾配θ）上で車両停止時に式７で示したトルク分電流Ｉｑが駆動トルク発生装置１６に出力される。したがって、駆動トルク発生装置１６では、トルク分電流Ｉｑに対応した静止トルク（勾配オフセットトルクＦｕ）を駆動部１７に発生する。この静止トルク（勾配オフセットトルクＦｕ）は、以下の式８で示すことができる。
【００４２】
【数８】
0003639170.tif 000011
【００４３】
このようにして、勾配区間の停止時にトルク分電流Ｉｑ＿offsetを出力し、勾配区間での停止時に発生する力（静止トルクＦｕ）により、車両１の勾配上で停止および停止状態の維持が可能となる。
【００４４】
図５は、本発明の電気ブレーキの制御装置を適用した実際の車両を使用して、電気ブレーキのみで停止させたときの速度Ｖ、トルク分電流指令値Ｉq0及び時刻ｔの関係を示す図である。図５において、車両速度Ｖが駆動トルク発生装置１６である誘導電動機の回転子電気角周波数５Ｈｚ（車輪速度Ｖ１＝５．３５［ｋｍ／ｈ］）時点で、トルク分電流Ｉｑの絞り込みを開始すると同時に、適応同定演算部１９でゲイン行列γの値を初期設定し、図４に示した逐次最小自乗法による勾配θと荷重Ｍの推定を開始する。車両速度が駆動トルク発生装置１６である誘導電動機の回転子電気角周波数２Ｈｚ（車輪速度２．１４［ｋｍ／ｈ］）時点で、推定中の勾配オフセットトルク分電流（以下、「停止トルク分電流」ともいう）Ｉｑ＿offsetをラッチする。そして、その時点のトルク分電流Ｉｑから一定の電流増加勾配（１２５［Ａ／sec］）で停止トルク分電流Ｉｑ＿offsetまで増減する。
【００４５】
ここで、ゲイン行列Γ(i)の初期化においては、Γ(0)＝（０．２、０．０、０．２、０．２）などとし、同定動作開始時点ではこの行列の逆行列を持つように設定することで、その後の同定を可能とした。
【００４６】
図５に示すように、本発明の電気ブレーキ制御方法及び電気ブレーキ制御装置によれば、上り勾配や下り勾配においても電気ブレーキのみで正確かつ安全に車両を停止することができ、また、車両の停止状態を維持することができる。
【００４７】
以上、本発明の電気ブレーキ制御方法及び電気ブレーキ制御装置の形態例を示たが、制御装置１０のメモリ１２には、適応同定演算部１９の起動トリガとなる電動機速度の閾値Ｖ１、Ｖ２などを予め記憶しておくとよい。
【００４８】
【発明の効果】
以上述べた通り、本発明の電気ブレーキの制御方法及びその装置によれば、車両の停止直前に線路の勾配と釣り合う停止トルク分電流を算出して発生するため、摩擦ブレーキを用いずに電気ブレーキのみで勾配のある線路上で車両を停止し、かつその停止状態を維持することができるようになった。また、このため、摩擦ブレーキの使用による停止時の衝撃やきしみ音も発生せず、快適な乗り心地を提供できるようになった。
【００４９】
また、本発明の電気ブレーキの制御方法及びその装置によれば、車両の減速や停止状態を維持するときに摩擦ブレーキを使用しないため、摩擦ブレーキの摩耗による摩耗粉塵の発生や摩擦ブレーキの摩擦熱による各部位の熱疲労等の発生を防ぐことができ、また、制輪子やブレーキディスク等の摩耗部品の取り替え作業も必要なくなった。
【図面の簡単な説明】
【図１】本発明による電気ブレーキの制御装置が適用された電気ブレーキ・システムの実施の一形態を示す概略図である。
【図２】線路の勾配がθである勾配区間での車両の力の釣り合いを示す概略図である。
【図３】本発明による電気ブレーキの制御装置が適用された電気ブレーキ・システムの動作を示すフローチャートである。
【図４】本発明による電気ブレーキの制御装置の演算部でのアルゴリズムを示す概略図である。
【図５】車両の速度とトルク分電流指令値の関係を示す図である。
【符号の説明】
１  車両
２  車輪
１０  ブレーキ制御装置
１１  パターン制御部
１２  メモリ
１３  電流発生回路
１４  電流制御部
１５  速度・加速度測定部
１６  駆動トルク発生装置
１６ａ  電流センサ
１６ｂ  パルスエンコーダ
１７  駆動部
１８  ブレーキ入力部
１９  適応同定演算部
２０  電流測定部
【図１】
0003639170.tif 000014
【図２】
0003639170.tif 000015
【図３】
0003639170.tif 000016
【図４】
0003639170.tif 000017
【図５】
0003639170.tif 000018